(57)【要約】      （修正有）【課題】生活見守りの対象者であるユーザに対して迅速に情報を提供する。【解決手段】生活見守りシステム１は、生活見守りの対象となるユーザに装着され、当該ユーザの生体信号を測定する装着型デバイス１０と、装着型デバイス１０が測定した生体信号に基づいてユーザの生活を見守る生活見守り装置２０とを備える。生活見守り装置２０は、装着型デバイス１０が測定した生体信号に基づいてユーザの生活リズムを示す特徴量を算出する特徴量算出部２３と、特徴量算出部２３が算出したユーザの特徴量とユーザの生活リズムの異常を判定するためのルールとに基づいて、ユーザの生活リズムの異常を判定し、判定結果に応じたメッセージを作成する異常判定部２５と、異常判定部２５が作成したメッセージを、ユーザを見守るスタッフとユーザとに通知する通知部２６とを有する。【選択図】図１
2016224783.tif 000002
【特許請求の範囲】
【請求項１】
生活見守りの対象となるユーザに装着され、当該ユーザの生体信号を測定する装着型デバイスと、
前記装着型デバイスが測定した前記生体信号に基づいて前記ユーザの生活を見守る生活見守り装置とを備え、
前記生活見守り装置は、
前記装着型デバイスが測定した前記生体信号に基づいて前記ユーザの生活リズムを示す特徴量を算出する特徴量算出部と、
前記特徴量算出部が算出した前記ユーザの特徴量と前記ユーザの生活リズムの異常を判定するためのルールとに基づいて、前記ユーザの生活リズムの異常を判定し、判定結果に応じたメッセージを作成する異常判定部と、
前記異常判定部が作成した前記メッセージを、前記ユーザを見守るスタッフと前記ユーザとに通知する通知部とを有する
生活見守りシステム。
【請求項２】
前記生活見守り装置は、さらに、前記ユーザと同一施設内又は関連施設内に居住する前記ユーザとは異なる他ユーザの特徴量と前記ユーザの特徴量とを比較し、比較結果に応じたメッセージを作成する比較部を備え、
前記通知部は、さらに、前記比較部が作成した前記メッセージを前記スタッフと前記ユーザとに通知する
請求項１に記載の生活見守りシステム。
【請求項３】
前記比較部は、前記ユーザの現時点での特徴量と所定範囲内の特徴量を過去に有していた前記他ユーザを抽出し、抽出した前記他ユーザの現時点での生活リズムの異常の有無に応じたメッセージを、前記通知部が通知する前記メッセージとして作成する
請求項２に記載の生活見守りシステム。
【請求項４】
前記生活見守りシステムは、さらに、前記ユーザの生体信号に影響を及ぼし得る外的要因を取得する外的要因取得装置を備え、
前記異常判定部は、さらに、前記外的要因取得装置が取得した前記外的要因に基づいて前記ルールを修正し、前記特徴量算出部が算出した前記ユーザの特徴量と修正後の前記ルールとに基づいて、前記ユーザの生活リズムの異常を判定する
請求項１〜３のいずれか１項に記載の生活見守りシステム。
【請求項５】
前記外的要因取得装置は、前記ユーザの居室の温度を測定する温度センサであり、
前記異常判定部は、前記温度センサが測定した温度に基づいて前記ルールを修正し、前記特徴量算出部が算出した前記ユーザの特徴量と修正後の前記ルールとに基づいて、前記ユーザの生活リズムの異常を判定する
請求項４に記載の生活見守りシステム。
【請求項６】
前記外的要因取得装置は、前記ユーザの投薬内容の情報を取得し、
前記異常判定部は、前記外的要因取得装置が取得した前記ユーザの投薬内容の情報に基づいて前記ルールを修正し、前記特徴量算出部が算出した前記ユーザの特徴量と修正後の前記ルールとに基づいて、前記ユーザの生活リズムの異常を判定する
請求項４に記載の生活見守りシステム。
【請求項７】
前記異常判定部は、さらに、同一の種類の特徴量に対する前記ユーザの生活リズムの異常の判定において、当該異常の程度に応じてメッセージを変更する
請求項１〜６のいずれか１項に記載の生活見守りシステム。
【請求項８】
前記異常判定部は、さらに、同一の種類の特徴量に対する前記ユーザの生活リズムの異常の判定において、当該異常の程度に応じてメッセージの通知先を決定し、
前記通知部は、前記異常判定部が作成した前記メッセージを、前記異常判定部が決定した前記通知先に通知する
請求項１〜６のいずれか１項に記載の生活見守りシステム。
【請求項９】
生活見守りの対象となるユーザに装着された装着型デバイスであって、当該ユーザの生体信号を測定する前記装着型デバイスが測定した前記生体信号に基づいて前記ユーザの生活リズムを示す特徴量を算出する特徴量算出部と、
前記特徴量算出部が算出した前記ユーザの特徴量と前記ユーザの生活リズムの異常を判定するためのルールとに基づいて、前記ユーザの生活リズムの異常を判定し、判定結果に応じたメッセージを作成する異常判定部と、
前記異常判定部が作成した前記メッセージを、前記ユーザを見守るスタッフと前記ユーザとに通知する通知部とを備える
生活見守り装置。
【請求項１０】
生活見守りの対象となるユーザに装着された装着型デバイスであって、当該ユーザの生体信号を測定する前記装着型デバイスが測定した前記生体信号に基づいて前記ユーザの生活リズムを示す特徴量を算出する特徴量算出ステップと、
前記特徴量算出ステップにおいて算出された前記ユーザの特徴量と前記ユーザの生活リズムの異常を判定するためのルールとに基づいて、前記ユーザの生活リズムの異常を判定し、判定結果に応じたメッセージを作成する異常判定ステップと、
前記異常判定ステップにおいて作成された前記メッセージを、前記ユーザを見守るスタッフと前記ユーザとに通知する通知ステップとを含む
生活見守り方法。
【請求項１１】
生活見守りの対象となるユーザに装着された装着型デバイスであって、当該ユーザの生体信号を測定する前記装着型デバイスが測定した前記生体信号に基づいて前記ユーザの生活リズムを示す特徴量を算出する特徴量算出部と、
前記特徴量算出部が算出した前記ユーザの特徴量と前記ユーザの生活リズムの異常を判定するためのルールとに基づいて、前記ユーザの生活リズムの異常を判定し、判定結果に応じたメッセージを作成する異常判定部と、
前記異常判定部が作成した前記メッセージを、前記ユーザを見守るスタッフと前記ユーザとに通知する通知部としてコンピュータを機能させるための
生活見守りプログラム。
【発明の詳細な説明】
【技術分野】
【０００１】
本発明は、生活見守りシステム、生活見守り装置、生活見守り方法及び生活見守りプログラムに関し、特に、老人ホーム、老人保健施設、病院などの施設に居住するユーザの生活を見守る生活見守りシステム、生活見守り装置、生活見守り方法及び生活見守りプログラムに関する。
【背景技術】
【０００２】
従来、ケアハウス、老人ホームなどの高齢者施設の入居者の生体情報を収集して入居者の体調異常を判定し、判定結果を入居者の生活を見守るスタッフへ通知する生活見守りシステムが提案されている（たとえば、特許文献１参照）。
【０００３】
特許文献１に記載の生活見守りシステムは、入居者に装着されたセンサを用いて生体情報を収集し、入居者の生活リズムの異常を判定して判定結果をスタッフに通知する。
【先行技術文献】
【特許文献】
【０００４】
【特許文献１】特開２００７−１９０３０６号公報
【発明の概要】
【発明が解決しようとする課題】
【０００５】
従来の生活見守りシステムでは、入居者の生活リズムの異常の判定結果がデータサーバからスタッフ用端末に送信され、スタッフへ通知されるものの、入居者には通知されない。生活リズムの異常が通知された場合にはスタッフが入居者の元に駆けつける必要があるが、一度に多くの入居者の異常が検知された場合には、異常が検知された全ての入居者の元にスタッフが迅速に駆けつけることが困難となり、処置の遅れにつながる場合がある。
【０００６】
また、生活リズムの異常の程度によっては入居者自身で応急的な処置が可能な場合があるにもかかわらず、従来の生活見守りシステムでは、入居者に対して何らの通知もされない。このため、スタッフの手を必要以上に煩わせてしまう。
【０００７】
昨今の介護職員不足の状況に鑑みれば、スタッフの負担を軽減させつつ、生活リズムに異常が生じた場合に入居者に迅速に情報を提供する必要性が高まりつつある。
【０００８】
本発明は、上述の課題を解決するためになされたものであり、生活見守りの対象者であるユーザに対して迅速に情報を提供することができる生活見守りシステム、生活見守り装置、生活見守り方法及び生活見守りプログラムを提供することを目的とする。
【課題を解決するための手段】
【０００９】
（１）上記目的を達成するために、本発明の一実施態様に係る生活見守りシステムは、生活見守りの対象となるユーザに装着され、当該ユーザの生体信号を測定する装着型デバイスと、前記装着型デバイスが測定した前記生体信号に基づいて前記ユーザの生活を見守る生活見守り装置とを備え、前記生活見守り装置は、前記装着型デバイスが測定した前記生体信号に基づいて前記ユーザの生活リズムを示す特徴量を算出する特徴量算出部と、前記特徴量算出部が算出した前記ユーザの特徴量と前記ユーザの生活リズムの異常を判定するためのルールとに基づいて、前記ユーザの生活リズムの異常を判定し、判定結果に応じたメッセージを作成する異常判定部と、前記異常判定部が作成した前記メッセージを、前記ユーザを見守るスタッフと前記ユーザとに通知する通知部とを有する。
【００１０】
（９）また、本発明の他の一実施態様に係る生活見守り装置は、生活見守りの対象となるユーザに装着された装着型デバイスであって、当該ユーザの生体信号を測定する前記装着型デバイスが測定した前記生体信号に基づいて前記ユーザの生活リズムを示す特徴量を算出する特徴量算出部と、前記特徴量算出部が算出した前記ユーザの特徴量と前記ユーザの生活リズムの異常を判定するためのルールとに基づいて、前記ユーザの生活リズムの異常を判定し、判定結果に応じたメッセージを作成する異常判定部と、前記異常判定部が作成した前記メッセージを、前記ユーザを見守るスタッフと前記ユーザとに通知する通知部とを備える。
【００１１】
（１０）また、本発明の他の一実施態様に係る生活見守り方法は、生活見守りの対象となるユーザに装着された装着型デバイスであって、当該ユーザの生体信号を測定する前記装着型デバイスが測定した前記生体信号に基づいて前記ユーザの生活リズムを示す特徴量を算出する特徴量算出ステップと、前記特徴量算出ステップにおいて算出された前記ユーザの特徴量と前記ユーザの生活リズムの異常を判定するためのルールとに基づいて、前記ユーザの生活リズムの異常を判定し、判定結果に応じたメッセージを作成する異常判定ステップと、前記異常判定ステップにおいて作成された前記メッセージを、前記ユーザを見守るスタッフと前記ユーザとに通知する通知ステップとを含む。
【００１２】
（１１）また、本発明の他の一実施態様に係る生活見守りプログラムは、生活見守りの対象となるユーザに装着された装着型デバイスであって、当該ユーザの生体信号を測定する前記装着型デバイスが測定した前記生体信号に基づいて前記ユーザの生活リズムを示す特徴量を算出する特徴量算出部と、前記特徴量算出部が算出した前記ユーザの特徴量と前記ユーザの生活リズムの異常を判定するためのルールとに基づいて、前記ユーザの生活リズムの異常を判定し、判定結果に応じたメッセージを作成する異常判定部と、前記異常判定部が作成した前記メッセージを、前記ユーザを見守るスタッフと前記ユーザとに通知する通知部としてコンピュータを機能させるためのプログラムである。
【００１３】
なお、本発明は、上述の生活見守り方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読取可能な非一時的な記録媒体やインターネット等の通信ネットワークを介して流通させることができるのは、言うまでもない。また、本発明は、生活見守り装置の一部又は全部を実現する半導体集積回路として実現することもできる。
【発明の効果】
【００１４】
本発明によると、生活見守りの対象者であるユーザに対して迅速に情報を提供することができる。
【図面の簡単な説明】
【００１５】
【図１】本発明の実施の形態１に係る生活見守りシステムの構成を示す図である。
【図２】生体信号データベースの一例を示す図である。
【図３】ルールデータベースの一例を示す図である。
【図４】ユーザ「Ｕ００１」が使用するユーザ端末の表示画面の一例を示す図である。
【図５】スタッフ端末の表示画面の一例を示す図である。
【図６】装着型デバイスが実行する処理の流れを示すフローチャートである。
【図７】生活見守り装置が実行する処理の流れを示すフローチャートである。
【図８】特徴量算出処理（図７のＳ１３）の詳細を示すフローチャートである。
【図９】本発明の実施の形態２に係る生活見守りシステムの構成を示す図である。
【図１０】生活見守り装置が実行する処理の流れを示すフローチャートである。
【図１１】ユーザ「Ｕ００１」が使用するユーザ端末の表示画面の一例を示す図である。
【図１２】本発明の実施の形態３に係る生活見守りシステムの構成を示す図である。
【図１３】生活見守り装置が実行する処理の流れを示すフローチャートである。
【図１４】ルール修正処理（図１３のＳ４２）の詳細を示すフローチャートである。
【図１５】本発明の実施の形態３に係る生活見守りシステムの構成を示す図である。
【図１６】生活見守り装置が実行する処理の流れを示すフローチャートである。
【図１７】ユーザ端末の画面に表示された投薬内容を入力するための画像情報である。
【図１８】ルール修正処理（図１６のＳ５２）の詳細を示すフローチャートである。
【発明を実施するための形態】
【００１６】
最初に本発明の実施態様を列記して説明する。
（１）本発明の一実施態様に係る生活見守りシステムは、生活見守りの対象となるユーザに装着され、当該ユーザの生体信号を測定する装着型デバイスと、前記装着型デバイスが測定した前記生体信号に基づいて前記ユーザの生活を見守る生活見守り装置とを備え、前記生活見守り装置は、前記装着型デバイスが測定した前記生体信号に基づいて前記ユーザの生活リズムを示す特徴量を算出する特徴量算出部と、前記特徴量算出部が算出した前記ユーザの特徴量と前記ユーザの生活リズムの異常を判定するためのルールとに基づいて、前記ユーザの生活リズムの異常を判定し、判定結果に応じたメッセージを作成する異常判定部と、前記異常判定部が作成した前記メッセージを、前記ユーザを見守るスタッフと前記ユーザとに通知する通知部とを有する。
【００１７】
この構成によると、ユーザの生活リズムの異常の判定結果に応じたメッセージがスタッフのみならずユーザにも通知される。つまり、生活見守りの対象者であるユーザに対して迅速に情報を提供することができる。たとえば、脈拍変化率が異常であるとの生活リズムの異常が判定された場合には、ユーザに対して安静にするようにとのメッセージを通知することができる。このため、ユーザ自身が異常に対して迅速に対処することができる。
【００１８】
（２）また、前記生活見守り装置は、さらに、前記ユーザと同一施設内又は関連施設内に居住する前記ユーザとは異なる他ユーザの特徴量と前記ユーザの特徴量とを比較し、比較結果に応じたメッセージを作成する比較部を備え、前記通知部は、さらに、前記比較部が作成した前記メッセージを前記スタッフと前記ユーザとに通知してもよい。
【００１９】
この構成によると、他ユーザと比較して改善した方が良い点などをユーザに通知することが可能になる。たとえば、他ユーザと比較して極端に活動度が高いような場合には、活動度を低くすることをユーザに促すことができるため、ユーザの健康状態をよりよいものに導くことができる。
【００２０】
（３）また、前記比較部は、前記ユーザの現時点での特徴量と所定範囲内の特徴量を過去に有していた前記他ユーザを抽出し、抽出した前記他ユーザの現時点での生活リズムの異常の有無に応じたメッセージを、前記通知部が通知する前記メッセージとして作成してもよい。
【００２１】
この構成によると、類似する特徴量を過去に有していた他ユーザと同様の生活を今後行った場合の生活リズムの変化を、事前に類推することができる。たとえば、ユーザと同じ程度に活動度が低かった他ユーザがその後に生活リズムが異常であると判定された場合には、ユーザに対して活動度を高める努力をするよう通知することができる。これにより、ユーザの健康状態をよりよいものに導くことができる。
【００２２】
（４）また、前記生活見守りシステムは、さらに、前記ユーザの生体信号に影響を及ぼし得る外的要因を取得する外的要因取得装置を備え、前記異常判定部は、さらに、前記外的要因取得装置が取得した前記外的要因に基づいて前記ルールを修正し、前記特徴量算出部が算出した前記ユーザの特徴量と修正後の前記ルールとに基づいて、前記ユーザの生活リズムの異常を判定してもよい。
【００２３】
外的要因と生体信号との間に関連があり、外的要因によって特徴量が変化するような場合には、同じルールに基づいて生活リズムの異常を判定すると、本来異常ではないにもかかわらず異常と判定されてしまう場合がある。このため、メッセージの誤報につながり、スタッフの手を煩わせてしまう。この構成によると、外的要因に基づいてルールを修正しているため、外的要因を加味した適正なルールに基づいて生活リズムの異常を判定することができる。このため、メッセージの誤報を減少させることができる。
【００２４】
（５）また、前記外的要因取得装置は、前記ユーザの居室の温度を測定する温度センサであり、前記異常判定部は、前記温度センサが測定した温度に基づいて前記ルールを修正し、前記特徴量算出部が算出した前記ユーザの特徴量と修正後の前記ルールとに基づいて、前記ユーザの生活リズムの異常を判定してもよい。
【００２５】
人間は、前日と比べて外気温が高いときには活動度が高くなり、前日と比べて外気温が低いときには活動度は低くなるという傾向がある。この構成によると、このような傾向を加味してルールを修正することができる。たとえば、前日と比べて外気温が高い場合にはルールにおける活動度に関する閾値を通常よりも高めに設定し、前日と比べて外気温が低い場合には上記閾値を通常よりも低めに設定して生活リズムの異常を判定する。これにより、適正なルールに基づいて生活リズムの異常を判定することができ、メッセージの誤報を減少させることができる。
【００２６】
（６）また、前記外的要因取得装置は、前記ユーザの投薬内容の情報を取得し、前記異常判定部は、前記外的要因取得装置が取得した前記ユーザの投薬内容の情報に基づいて前記ルールを修正し、前記特徴量算出部が算出した前記ユーザの特徴量と修正後の前記ルールとに基づいて、前記ユーザの生活リズムの異常を判定してもよい。
【００２７】
副作用として睡眠障害を生じさせる薬がある。このような薬をユーザが服用している場合には、睡眠時間が短くなる傾向がある。この構成によると、このような傾向を加味してルールを修正することができる。たとえば、睡眠障害を生じさせる薬をユーザが服用している場合にはルールにおける睡眠時間に関する閾値を上記薬を服用していない場合と比べて低めに設定して生活リズムの異常を判定する。これにより、適正なルールに基づいて生活リズムの異常を判定することができ、メッセージの誤報を減少させることができる。
【００２８】
（７）また、前記異常判定部は、さらに、同一の種類の特徴量に対する前記ユーザの生活リズムの異常の判定において、当該異常の程度に応じてメッセージを変更してもよい。
【００２９】
この構成によると、生活リズムの異常の程度に応じて、メッセージの内容を変更することができる。たとえば、緊急性を要する程度の異常については、スタッフがすぐ駆けつける旨を示すメッセージを作成し、さほど緊急性を要しない程度の異常については、安静にする旨を示すメッセージを作成する。これにより、スタッフ及びユーザは異常に対して適切に対処することができる。
【００３０】
（８）また、前記異常判定部は、さらに、同一の種類の特徴量に対する前記ユーザの生活リズムの異常の判定において、当該異常の程度に応じてメッセージの通知先を決定し、前記通知部は、前記異常判定部が作成した前記メッセージを、前記異常判定部が決定した前記通知先に通知してもよい。
【００３１】
この構成によると、生活リズムの異常の程度に応じて、メッセージの通知先を変更することができる。たとえば、緊急性を要する程度の異常については、スタッフとユーザの両者にメッセージを通知するが、特に緊急性を要しない程度の異常についてはユーザにのみメッセージを通知し、スタッフには通知を行わないようにしてもよい。これにより、スタッフに対して重要なメッセージのみが通知されるため、スタッフの手を煩わせることが少なくなる。
【００３２】
（９）本発明の他の一実施態様に係る生活見守り装置は、生活見守りの対象となるユーザに装着された装着型デバイスであって、当該ユーザの生体信号を測定する前記装着型デバイスが測定した前記生体信号に基づいて前記ユーザの生活リズムを示す特徴量を算出する特徴量算出部と、前記特徴量算出部が算出した前記ユーザの特徴量と前記ユーザの生活リズムの異常を判定するためのルールとに基づいて、前記ユーザの生活リズムの異常を判定し、判定結果に応じたメッセージを作成する異常判定部と、前記異常判定部が作成した前記メッセージを、前記ユーザを見守るスタッフと前記ユーザとに通知する通知部とを備える。
この構成によると、上述の（１）に示した生活見守りシステムと同様の作用、効果を奏することができる。
【００３３】
（１０）本発明の他の一実施態様に係る生活見守り方法は、生活見守りの対象となるユーザに装着された装着型デバイスであって、当該ユーザの生体信号を測定する前記装着型デバイスが測定した前記生体信号に基づいて前記ユーザの生活リズムを示す特徴量を算出する特徴量算出ステップと、前記特徴量算出ステップにおいて算出された前記ユーザの特徴量と前記ユーザの生活リズムの異常を判定するためのルールとに基づいて、前記ユーザの生活リズムの異常を判定し、判定結果に応じたメッセージを作成する異常判定ステップと、前記異常判定ステップにおいて作成された前記メッセージを、前記ユーザを見守るスタッフと前記ユーザとに通知する通知ステップとを含む。
この構成によると、上述の（１）に示した生活見守りシステムと同様の作用、効果を奏することができる。
【００３４】
（１１）本発明の他の一実施態様に係る生活見守りプログラムは、生活見守りの対象となるユーザに装着された装着型デバイスであって、当該ユーザの生体信号を測定する前記装着型デバイスが測定した前記生体信号に基づいて前記ユーザの生活リズムを示す特徴量を算出する特徴量算出部と、前記特徴量算出部が算出した前記ユーザの特徴量と前記ユーザの生活リズムの異常を判定するためのルールとに基づいて、前記ユーザの生活リズムの異常を判定し、判定結果に応じたメッセージを作成する異常判定部と、前記異常判定部が作成した前記メッセージを、前記ユーザを見守るスタッフと前記ユーザとに通知する通知部としてコンピュータを機能させるためのプログラムである。
この構成によると、上述の（１）に示した生活見守りシステムと同様の作用、効果を奏することができる。
【００３５】
［本願発明の実施の形態の詳細］
以下、本発明の実施の形態について、図面を用いて詳細に説明する。なお、以下で説明する実施の形態は、いずれも本発明の好ましい一具体例を示すものである。以下の実施の形態で示される数値、形状、構成要素、構成要素の設置位置及び接続形態、ステップ、ステップの順序などは、一例であり、本発明を限定する主旨ではない。本発明は、特許請求の範囲によって特定される。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。
なお、以下に記載する実施の形態の少なくとも一部を任意に組み合わせてもよい。
【００３６】
（実施の形態１）
［１−１．生活見守りシステムの全体構成］
＜生活見守りシステム１＞
図１は、本発明の実施の形態１に係る生活見守りシステムの構成を示す図である。
生活見守りシステム１は、老人ホーム、老人保健施設、病院などの施設に居住するユーザの生活を見守るシステムであり、装着型デバイス１０と、生活見守り装置２０と、ユーザ端末３０と、スタッフ端末４０とを備える。
【００３７】
＜装着型デバイス１０＞
装着型デバイス１０は、生活見守りの対象となるユーザに装着され、当該ユーザの生体信号を測定する装置である。装着型デバイス１０は、リストバンドに内蔵されており、脈拍数、体温及び体動値を含む生体信号を測定するセンサを備えている。ユーザがこのリストバンドを手首に装着して使用することにより、装着型デバイス１０がユーザの生体信号を測定する。なお、装着型デバイス１０は、リストバンド以外であっても、腕時計や衣類などユーザの身体に装着されるものに内蔵することも可能できる。体動値を測定するセンサとしては加速度センサを用いることができる。
【００３８】
＜生活見守り装置２０＞
生活見守り装置２０は、装着型デバイス１０が測定した生体信号を受信し、受信した生体信号に基づいて当該ユーザの生活を見守る装置であり、具体的にはパーソナルコンピュータ又はサーバなどのコンピュータである。
【００３９】
＜ユーザ端末３０＞
ユーザ端末３０は、装着型デバイス１０を利用する見守り対象のユーザが使用する装置であり、具体的には、タブレット端末又はスマートフォンなど画面を備える装置である。ユーザ端末３０は、生活見守り装置２０からユーザの見守りの結果であるメッセージを受信し、受信したメッセージをユーザ端末３０の画面に表示する。
【００４０】
＜スタッフ端末４０＞
スタッフ端末４０は、ユーザが居住する施設のスタッフが使用するコンピュータである。スタッフ端末４０は、ユーザ端末３０と同様に、生活見守り装置２０からユーザの見守りの結果であるメッセージを受信し、受信したメッセージをスタッフ端末４０の画面に表示する。
【００４１】
［１−２．生活見守り装置の構成］
生活見守り装置２０の構成をより詳細に説明すると、生活見守り装置２０は、生体信号受信部２１と、生体信号データベース２２と、特徴量算出部２３と、ルールデータベース２４と、異常判定部２５と、通知部２６とを備える。
【００４２】
＜生体信号受信部２１＞
生体信号受信部２１は、装着型デバイス１０が測定した生体信号を受信するための通信インタフェースである。
【００４３】
＜生体信号データベース２２＞
生体信号データベース２２は、生体信号受信部２１が受信した生体信号を格納するためのデータベースである。なお、以下では生体信号データベース２２を記憶する記憶装置のことも生体信号データベース２２という。つまり、生体信号データベース２２は、ＨＤＤ（Ｈａｒｄ  Ｄｉｓｋ  Ｄｒｉｖｅ）などにより構成される。
【００４４】
図２は、生体信号データベース２２の一例を示す図である。生体信号データベース２２には、ユーザＩＤを格納するフィールド「ユーザＩＤ」と、生体信号の計測日時を格納するフィールド「計測日時」と、生体信号を格納するフィールド「生体信号」とで構成される。たとえば、生体信号データベース２２の１つ目のレコードは、ユーザＩＤ「Ｕ００１」のユーザ（以下、「ユーザ「Ｕ００１」」という。）が装着する装着型デバイス１０が２０１５年１月１日の６時００分に測定した生体信号は、脈拍数が７２、体温が３６．０℃、体動値が５０であることを示している。体動値は、ユーザの動きを示す値であり、体動値が大きいほどユーザが動き回っていることを示し、体動値が小さいほどユーザが安静にしていることを示す。
【００４５】
＜特徴量算出部２３＞
再度図１を参照して、特徴量算出部２３は、装着型デバイス１０が測定した生体信号に基づいてユーザの生活リズムを示す特徴量を算出する。ここでいう特徴量とは、睡眠時間、活動度及び脈拍変化率を示す。以下、各特徴量の算出方法について説明する。
【００４６】
睡眠時間は、睡眠終了時刻と睡眠開始時刻との差、つまり睡眠開始時刻から睡眠終了時刻までの時間として算出することができる。ユーザが睡眠状態にあるか起床状態にあるかは、生体信号に含まれる体動値により判断することができる。たとえば、特徴量算出部２３は、体動値が１５未満の時は睡眠状態にあると判断し、体動値が１５以上の場合には起床状態にあると判断する。このため、特徴量算出部２３は、体動値が１５以上から１５未満に変化した時刻を睡眠開始時刻と決定し、体動値が１５未満から１５以上に変化した時刻を睡眠終了時刻と決定する。たとえば、本日が２０１５年４月１７日である場合には、特徴量算出部２３は、２０１５年４月１７日午前０時以前の最も遅い時刻に体動値が１５以上から１５未満に変化した時刻を睡眠開始時刻と決定する。また、特徴量算出部２３は、２０１５年４月１７日午前０時以降の最も早い時刻に体動値が１５未満から１５以上に変化した時刻を睡眠終了時刻と決定する。特徴量算出部２３は、睡眠開始時刻から睡眠終了時刻までの時間を睡眠時間として算出する。
活動度は、以下の式１により算出することができる。
活動度＝活動時間／（活動時間＋安静時間）      …（式１）
【００４７】
たとえば、特徴量算出部２３は、過去２４時間以内で体動度が５０以上となった時間の合計値を活動時間として算出し、過去２４時間以内で体動度が１５以上でかつ５０未満となった時間の合計値を安静時間として算出する。その後、特徴量算出部２３は、式１に従い活動度を算出する。
脈拍変化率は、以下の式２により算出することができる。
脈拍変化率＝安静時の平均脈拍数／睡眠時の平均脈拍数      …（式２）
【００４８】
たとえば、特徴量算出部２３は、過去２４時間以内で体動度が１５以上でかつ５０未満となる時の脈拍数の平均値を安静時の平均脈拍数として算出する。また、特徴量算出部２３は、過去２４時間以内で体動度が１５未満となる時の脈拍数の平均値を睡眠時の平均脈拍数として算出する。特徴量算出部２３は、算出した安静時の平均脈拍数と睡眠時の平均脈拍数とから式２に従い脈拍変化率を算出する。
【００４９】
＜ルールデータベース２４＞
ルールデータベース２４は、ユーザの生活リズムの異常を判定するためのルールを格納するためのデータベースである。なお、以下ではルールデータベース２４を記憶する記憶装置のこともルールデータベース２４という。つまり、ルールデータベース２４は、ＨＤＤなどにより構成される。
【００５０】
図３は、ルールデータベース２４の一例を示す図である。ルールデータベース２４は、ユーザＩＤを格納するフィールド「ユーザＩＤ」と、生活リズムの異常を判定するための条件（以下、「異常判定条件」という。）を格納するフィールド「異常判定条件」と、生活リズムの異常が判定された場合にユーザに対して通知されるメッセージを格納するフィールド「ユーザに対するメッセージ」と、生活リズムの異常が判定された場合にスタッフに対して通知されるメッセージを格納するフィールド「スタッフに対するメッセージ」とで構成される。
【００５１】
たとえば、ルールデータベース２４の１つ目のレコードは、ユーザ「Ｕ００１」の睡眠時間が４時間未満であった場合には、ユーザに対して「睡眠が足りてないようです。」とのメッセージを通知し、スタッフに対して「睡眠が足りてないようです。」とのメッセージを通知せよとのルールが格納されている。
【００５２】
１番目のレコードでは、ユーザに対するメッセージとスタッフに対するメッセージとが同じであるが、３番目のレコードでは、ユーザに対するメッセージが「もう少し体を動かしましょう。」となっているのに対し、スタッフに対するメッセージが「体調が悪いのかもしれません。」となっている。このように２つのメッセージを異ならせることにより、ユーザ及びスタッフのそれぞれの立場に応じたメッセージを通知することができる。
【００５３】
また、４番目のレコードのように、ユーザに対するメッセージ「少し体を休めましょう。」はあるものの、スタッフに対するメッセージがない場合もある。これにより、スタッフにとって重要度が低いメッセージはスタッフには通知されないため、スタッフの手を煩わせることが少なくなる。なお、スタッフに対するメッセージがあり、ユーザに対するメッセージがなくてもよい。
【００５４】
＜異常判定部２５＞
再度図１を参照して、異常判定部２５は、特徴量算出部２３が算出したユーザの特徴量とルールデータベース２４に格納されているルールとに基づいて、ユーザの生活リズムの異常を判定し、判定結果に応じたメッセージを作成する。
【００５５】
たとえば、特徴量算出部２３が、ユーザ「Ｕ００１」について、脈拍変化率を「１．３５」と算出する。この時、異常判定部２５は、図３に示すルールデータベース２４を参照し、このユーザ「Ｕ００１」の脈拍変化率「１．３５」が５番目のレコードの異常判定条件「１．３＜脈拍変化率≦１．４」に該当することを確認する。このため、特徴量算出部２３は、ユーザ「Ｕ００１」に対するメッセージとして「脈拍変化率が高めです。安静にしてください。」とのメッセージをルールデータベース２４から読み出し、読み出したメッセージを通知部２６に送信する。また、特徴量算出部２３は、スタッフに対するメッセージとして「脈拍変化率が高めです。」とのメッセージをルールデータベース２４から読み出し、読み出したメッセージを通知部２６に送信する。
【００５６】
＜通知部２６＞
通知部２６は、異常判定部２５からユーザに対するメッセージとスタッフに対するメッセージを受信する。通知部２６は、受信したユーザに対するメッセージを生活リズムの異常が判定されたユーザ（ここでは、ユーザ「Ｕ００１」）のユーザ端末３０に送信する。通知部２６は、当該メッセージに加えて特徴量算出部２３が算出した特徴量を、ユーザ端末３０に送信してもよい。また、通知部２６は、生活リズムの異常が判定されたユーザのユーザＩＤと受信したスタッフに対するメッセージとをスタッフ端末４０に送信する。通知部２６は、当該メッセージに加えて特徴量算出部２３が算出した特徴量を、スタッフ端末４０に送信してもよい。
【００５７】
図４は、ユーザ「Ｕ００１」が使用するユーザ端末３０の表示画面の一例を示す図である。ユーザ端末３０は、通知部２６から特徴量とメッセージとを受信し、受信した特徴量とメッセージとを画面に表示する。ここでは、特徴量として、睡眠時間が「７．２５時間」であり、活動度が「０．３」であり、脈拍変化率が「１．３５」であることが画面に表示されている。また、ユーザ「Ｕ００１」に対するメッセージとして「脈拍変化率が高めです。安静にしてください。」とのメッセージが画面に表示されている。
【００５８】
図５は、スタッフ端末４０の表示画面の一例を示す図である。スタッフ端末４０は、通知部２６からユーザＩＤと特徴量とメッセージとを受信し、受信したユーザＩＤと特徴量とメッセージとを画面に表示する。ここでは、ユーザＩＤが「Ｕ００１」であることを示すため「Ｕ００１さんの生活リズム」との画面表示がされている。また、特徴量として、睡眠時間が「７．２５時間」であり、活動度が「０．３」であり、脈拍変化率が「１．３５」であることが画面に表示されている。また、スタッフに対するメッセージとして「脈拍変化率が高めです。」とのメッセージが画面に表示されている。
【００５９】
なお、図３に示すルールデータベース２４の４番目のレコードのように、ユーザに対するメッセージ及びスタッフに対するメッセージのうちのいずれか一方しかない場合には、ユーザ端末３０及びスタッフ端末４０のうちの一方にしかメッセージは送信されない。
【００６０】
［１−３．生活見守りシステムの処理フロー］
次に、生活見守りシステム１が実行する処理の流れについて説明する。
図６は、装着型デバイス１０が実行する処理の流れを示すフローチャートである。
装着型デバイス１０は、ユーザの生体信号を測定する（Ｓ１）。
装着型デバイス１０は、測定した生体信号に基づいて装着型デバイス１０をユーザが装着しているか否かを判定する（Ｓ２）。たとえば、装着型デバイス１０は、測定した脈拍数があらかじめ定められた基準値以上の場合には装着型デバイス１０が装着されていると判定し、脈拍数が当該基準値未満の場合には装着型デバイス１０が装着されていないと判定する。
【００６１】
装着型デバイス１０をユーザが装着していると判定した場合には（Ｓ２でＹＥＳ）、装着型デバイス１０は、測定した生体信号を生活見守り装置２０に対して送信する（Ｓ３）。
【００６２】
一方、装着型デバイス１０をユーザが装着していないと判定した場合には（Ｓ２でＮＯ）、装着型デバイス１０は、装着型デバイス１０が装着されていないことを示すデータを生活見守り装置２０に対して送信する（Ｓ４）。
【００６３】
装着型デバイス１０は、ステップＳ１〜Ｓ４の処理を、たとえば１分間隔で繰り返し実行する。
図７は、生活見守り装置２０が実行する処理の流れを示すフローチャートである。
【００６４】
生体信号受信部２１は、装着型デバイス１０から生体信号を受信する（Ｓ１１）。装着型デバイス１０では、１分間隔で生体信号の測定が行われることより、生体信号受信部２１は、１分間隔で生体信号を装着型デバイス１０から受信する。
【００６５】
生体信号受信部２１は、受信した生体信号を生体信号データベース２２に格納する（Ｓ１２）。図２に示すように生体信号データベース２２には、１分ごとに生体データが格納される。
【００６６】
特徴量算出部２３は、生体信号データベース２２に格納されている生体データからユーザごとに特徴量を算出する（Ｓ１３）。
【００６７】
図８は、特徴量算出処理（図７のＳ１３）の詳細を示すフローチャートである。特徴量算出部２３は、以下の手順に従い睡眠時間と活動度と脈拍変化率とを特徴量として算出する。
【００６８】
特徴量算出部２３は、睡眠開始時刻を決定し（Ｓ２１）、睡眠終了時刻を決定する（Ｓ２２）。睡眠開始時刻及び睡眠終了時刻の決定方法は上述した通りである。
【００６９】
特徴量算出部２３は、睡眠開始時刻から睡眠終了時刻までの時間を睡眠時間として算出する（Ｓ２３）。
【００７０】
特徴量算出部２３は、ユーザの過去２４時間の活動時間と安静時間を算出する（Ｓ２４、Ｓ２５）。これらの算出方法は上述した通りである。
【００７１】
特徴量算出部２３は、活動時間と安静時間とから上述の式１に従い活動度を算出する（Ｓ２６）。
【００７２】
特徴量算出部２３は、ユーザの過去２４時間の安静時の平均脈拍数と睡眠時の平均脈拍数とを算出する（Ｓ２７、Ｓ２８）。これらの算出方法は上述した通りである。
【００７３】
特徴量算出部２３は、これらの値から上述の式２に従い脈拍変化率を算出する（Ｓ２９）。
【００７４】
再度図７を参照して、異常判定部２５は、ステップＳ１３で算出された特徴量とルールデータベース２４とに基づいて、ユーザの生活リズムに異常があるか否かを判定する（Ｓ１４）。
【００７５】
異常があると判定された場合には（Ｓ１４でＹＥＳ）、異常判定部２５は、ルールデータベース２４から、異常があると判定されたユーザに対するメッセージと、スタッフに対するメッセージとを読み出し、通知部２６に送信する（Ｓ１５）。
【００７６】
通知部２６は、通知部２６から送信されたユーザに対するメッセージを、そのユーザが使用するユーザ端末３０に送信し、スタッフに対するメッセージをスタッフ端末４０に送信する（Ｓ１６）。
【００７７】
上述の通り、各メッセージがユーザ端末３０及びスタッフ端末４０の表示画面に表示される。ユーザ及びスタッフはこれらのメッセージを見ることにより、生活リズムの異常に対して迅速に対処することができる。
【００７８】
なお、生活見守り装置２０は、装着型デバイス１０が装着されていないことを示すデータを装着型デバイス１０から受信した場合には、ユーザが倒れている可能性もあるため、ユーザの様子を見に行かせるための指示情報をスタッフ端末４０に対して送信してもよい。
【００７９】
［１−４．実施の形態１の効果等］
以上説明したように、実施の形態１によれば、ユーザの生活リズムの異常の判定結果に応じたメッセージがスタッフのみならずユーザにも通知される。つまり、生活見守りの対象者であるユーザに対して迅速に情報を提供することができる。たとえば、脈拍変化率が異常であるとの生活リズムの異常が判定された場合には、ユーザに対して安静にするようにとのメッセージを通知することができる。このため、ユーザ自身が異常に対して迅速に対処することができる。
【００８０】
また、生活リズムの異常の程度に応じて、メッセージの内容を変更することができる。たとえば、図３に示すルールデータベース２４において異常判定条件が「脈拍変化率＞１．４」の場合には緊急性を要するため、ユーザに対するメッセージが「スタッフがすぐに駆けつけます。」となっており、スタッフに対するメッセージが「脈拍変化率が高すぎます。すぐに駆けつけてください。」となっている。これに対し、異常判定条件は「１．３＜脈拍変化率≦１．４」の場合にはさほど緊急性を要しないため、ユーザに対するメッセージが「脈拍変化率が高めです。安静にしてください。」となっており、スタッフに対するメッセージが「脈拍変化率が高めです。」となっており、スタッフがユーザの元に駆けつけることまでは要求していない。つまり、異常判定部２５は、同一の種類の特徴量に対するユーザの生活リズムの異常の判定において、異常の程度に応じてメッセージを変更している。これにより、生活リズムの異常の程度に応じて、スタッフ及びユーザは異常に対して適切に対処することができる。
【００８１】
また、生活リズムの異常の程度に応じて、メッセージの通知先を変更することができる。たとえば、緊急性を要する程度の異常については、スタッフとユーザの両者にメッセージを通知するが、図３に示すルールデータベース２４の４番目のルールのように、特に緊急性を要しない程度の異常についてはユーザにのみメッセージを通知し、スタッフには通知を行わないようにすることができる。つまり、異常判定部２５は、同一の種類の特徴量に対するユーザの生活リズムの異常の判定において、異常の程度に応じてメッセージの通知先を決定する。また、通知部２６は、異常判定部２５が作成したメッセージを、異常判定部２５が決定した通知先に通知する。これにより、スタッフに対して重要なメッセージのみが通知されるため、スタッフの手を煩わせることが少なくなる。なお、ユーザのみにメッセージが通知される場合には、スタッフはスタッフ端末４０を操作して、生活見守り装置２０からユーザに通知されたメッセージを取得できるようにしてもよい。これにより、ユーザに対してどのような通知がなされたのかをスタッフが知ることができる。
【００８２】
（実施の形態２）
本発明の実施の形態２に係る生活見守りシステムについて説明する。実施の形態１では、ユーザの生体信号から算出された特徴量をルールデータベース２４に記憶されているルールと比較することとした。実施の形態２では、当該ルールとの比較に加え、他者の特徴量との比較を行う。
【００８３】
実施の形態１と同様の構成については同一の参照符号を付す。その機能及び名称も同一であるため、その詳細な説明は繰り返さない。以下では、実施の形態１と異なる点を中心に説明を行う。なお、実施の形態３以降についても同様の取り扱いを行う。
【００８４】
［２−１．生活見守りシステムの全体構成］
図９は、本発明の実施の形態２に係る生活見守りシステムの構成を示す図である。
生活見守りシステム２は、老人ホーム、老人保健施設、病院などの施設に居住するユーザの生活を見守るシステムであり、装着型デバイス１０と、生活見守り装置２０Ａと、ユーザ端末３０と、スタッフ端末４０とを備える。
【００８５】
［２−２．生活見守り装置の構成］
生活見守り装置２０Ａは、図１に示した実施の形態１に係る生活見守り装置２０の構成に加えて、さらに比較部２７を備える。
【００８６】
比較部２７は、着目しているユーザと同一施設内又は関連施設内に居住する他ユーザの特徴量とユーザの特徴量とを比較し、比較結果に応じたメッセージを作成する。より具体的には、比較部２７は、ユーザの現時点での特徴量と所定範囲内の特徴量を過去に有していた他ユーザを抽出し、抽出した他ユーザの現時点での生活リズムの異常の有無に応じたメッセージを作成する。
【００８７】
たとえば、ユーザ「Ｕ００１」の現在の睡眠時間が「７．２５時間」であり、活動度が「０．３」であり、脈拍変化率が「１．３５」であったとする。比較部２７は、それぞれの特徴量についてプラスマイナス５％の範囲内に含まれる特徴量を過去に有していた他ユーザを抽出する。たとえば、ユーザ「Ｕ００２」の過去の睡眠時間が「７．２０時間」であり、活動度が「０．３１」であり、脈拍変化率が「１．３４」であったとする。各特徴量はいずれもユーザ「Ｕ００１」の現在の特徴量のプラスマイナス５％の範囲内に含まれている。このため、比較部２７は、ユーザ「Ｕ００２」を抽出する。
【００８８】
比較部２７は、ユーザ「Ｕ００２」の現在の生活リズムの異常の判定結果を異常判定部２５より取得する。たとえば、ユーザ「Ｕ００２」の生活リズムが異常と現在判定されている場合には、このままの生活を続けるとユーザ「００１」も同じように生活リズムが異常となる可能性がある。このため、比較部２７は、生活習慣の改善を促すメッセージを作成し、作成したメッセージを通知部２６に送信する。なお、ユーザ「Ｕ００２」の現在の生活リズムが正常と判定されている場合には、この調子で頑張ることを伝えるためのメッセージを作成してもよい。
【００８９】
通知部２６は、比較部２７からメッセージを受信し、ユーザ端末３０及びスタッフ端末４０に送信することにより、比較部２７が作成したメッセージをユーザ及びスタッフに通知する。
【００９０】
［２−３．生活見守り装置の処理フロー］
次に、生活見守り装置２０Ａが実行する処理の流れについて説明する。
図１０は、生活見守り装置２０Ａが実行する処理の流れを示すフローチャートである。
【００９１】
ユーザの生体信号から算出された特徴量をルールデータベース２４に記憶されているルールと比較することにより生活リズムの異常判定を行い、メッセージを通知する処理（Ｓ１１〜Ｓ１６）は図７と同様であるため、その詳細な説明は繰り返さない。
【００９２】
ステップＳ１６の処理の後、比較部２７は、ユーザ「Ｕ００１」と同一施設内又は関連施設内に居住する他ユーザの特徴量とユーザ「Ｕ００１」の特徴量とを比較し、比較結果に応じたメッセージを作成する（Ｓ３１）。他ユーザの抽出方法は上述した通りである。他ユーザとしてユーザ「Ｕ００２」が抽出され、ユーザ「Ｕ００２」の生活リズムが異常と現在判定されているとする。この場合には、たとえば、「Ｕ００２さんが過去に同様の生活リズムを有していましたが、現時点で生活リズムが異常であると判定されています。」などの生活習慣の改善を促すユーザ向けのメッセージを、比較部２７は作成する。その際、比較部２７は、現在、異常判定部２５により生活リズムが異常と判定されている項目があれば、それも合わせてメッセージを作成する。たとえば、ユーザ「Ｕ００１」の脈拍変化率が高いために生活リズムが異常と判定されている場合には、比較部２７は、上記メッセージに「脈拍変化率が少し高いようですので、生活習慣を見直しましょう。」などのメッセージを加える。比較部２７は、スタッフ向けのメッセージとして、ユーザ向けのメッセージと同様の内容のメッセージを作成してもよい。
【００９３】
通知部２６は、比較部２７が作成したメッセージをユーザが使用するユーザ端末３０と、スタッフ端末４０とに送信する（Ｓ３２）。ユーザ端末３０及びスタッフ端末４０は、比較部２７から送信されたメッセージをユーザ端末３０及びスタッフ端末４０の表示画面にそれぞれ表示することにより、ユーザに対してメッセージを通知する。図１１は、ユーザ「Ｕ００１」が使用するユーザ端末３０の表示画面の一例を示す図である。ユーザ端末３０の表示画面には、特徴量とともに上述したメッセージが表示されている。
【００９４】
ユーザにメッセージを通知することで、ユーザに生活習慣改善の契機を与えることができる。
【００９５】
［２−４．実施の形態２の効果等］
以上説明したように、実施の形態２によれば、他ユーザと比較して改善した方が良い点などをユーザに通知することが可能になる。たとえば、他ユーザと比較して極端に活動度が高いような場合には、活動度を低くすることをユーザに促すことができるため、ユーザの健康状態をよりよいものに導くことができる。
【００９６】
この構成によると、類似する特徴量を過去に有していた他ユーザと同様の生活を今後行った場合の生活リズムの変化を、事前に類推することができる。たとえば、ユーザと同じ程度に活動度が低かった他ユーザがその後に生活リズムが異常であると判定された場合には、ユーザに対して活動度を高める努力をするよう通知することができる。これにより、ユーザの健康状態をよりよいものに導くことができる。
【００９７】
（実施の形態３）
本発明の実施の形態３に係る生活見守りシステムについて説明する。実施の形態１及び２では、装着型デバイス１０の測定する生体信号のみに基づいて生活リズムの異常が判定されていた。しかし、生体信号に影響を与えうる外的な要因を加味した方がより正確な生活リズムの異常判定を行うことができる。そこで、実施の形態３では、外的要因としてユーザの居室の温度を加味して生活リズムの異常判定を行う。
【００９８】
［３−１．生活見守りシステムの全体構成］
図１２は、本発明の実施の形態３に係る生活見守りシステムの構成を示す図である。
【００９９】
生活見守りシステム３は、老人ホーム、老人保健施設、病院などの施設に居住するユーザの生活を見守るシステムであり、装着型デバイス１０と、生活見守り装置２０Ｂと、ユーザ端末３０と、スタッフ端末４０と、温度センサ５０とを備える。
【０１００】
温度センサ５０は、ユーザの生体信号に影響を及ぼし得る外的要因を取得する外的要因取得装置であり、具体的には、ユーザの居室に設置され、ユーザの居室の温度を測定する温度センサである。温度センサ５０は、測定した温度の情報を生活見守り装置２０Ｂに送信する機能を有する。
【０１０１】
［３−２．生活見守り装置の構成］
生活見守り装置２０Ｂは、図１に示した実施の形態１に係る生活見守り装置２０の構成において、さらに外的要因取得部２８を備え、異常判定部２５の代わりに異常判定部２５Ｂを備える。
【０１０２】
外的要因取得部２８は、温度センサ５０からユーザの居室の温度の情報を取得する。
異常判定部２５Ｂは、温度センサ５０が計測した温度に基づいてルールデータベース２４に格納されているルールを修正する。異常判定部２５Ｂは、特徴量算出部２３が算出したユーザの特徴量と修正後のルールとに基づいて、実施の形態１に係る異常判定部２５と同様にユーザの生活リズムの異常を判定する。ルールの修正方法については後述する。
【０１０３】
［３−３．生活見守り装置の処理フロー］
次に、生活見守り装置２０Ｂが実行する処理の流れについて説明する。
図１３は、生活見守り装置２０Ｂが実行する処理の流れを示すフローチャートである。
【０１０４】
生体信号から特徴量を算出するまでの処理（Ｓ１１〜Ｓ１３）は図７と同様であるため、その詳細な説明は繰り返さない。
【０１０５】
ステップＳ１３の後、外的要因取得部２８は、温度センサ５０からユーザの居室の温度の情報を取得する（Ｓ４１）。
【０１０６】
異常判定部２５Ｂは、外的要因取得部２８が取得した温度の情報に基づいて、ルールデータベース２４に格納されている生活リズムの異常判定のためのルールを修正する（Ｓ４２）。
【０１０７】
図１４は、ルール修正処理（図１３のＳ４２）の詳細を示すフローチャートである。
異常判定部２５Ｂは、外的要因取得部２８が取得した温度の情報と、外的要因取得部２８が２４時間前に取得した温度の情報とに基づいて、前日との温度差を算出する（Ｓ５１）。前日との温度差がプラス、つまり前日よりも居室が暖かければ（Ｓ５２でＹＥＳ）、異常判定部２５Ｂは、ルールデータベース２４の異常判定条件の活動度閾値を１０％高く設定することで、ルールを修正する（Ｓ５３）。たとえば、図３に示すルールデータベース２４の異常判定条件において「活動度＜０．１」及び「活動度＞０．４」とあるのを、それぞれ「活動度＜０．１１」及び「活動度＞０．４４」に修正する。
【０１０８】
前日との温度差がマイナス、つまり前日よりも居室が寒ければ（Ｓ５２でＮＯ、Ｓ５４でＹＥＳ）、異常判定部２５Ｂは、ルールデータベース２４の異常判定条件の活動度閾値を１０％低く設定することで、ルールを修正する（Ｓ５５）。たとえば、図３に示すルールデータベース２４の異常判定条件において「活動度＜０．１」及び「活動度＞０．４」とあるのを、それぞれ「活動度＜０．０９」及び「活動度＞０．３６」に修正する。
【０１０９】
温度差が０、つまり前日との温度差がなければ（Ｓ５２でＮＯ、Ｓ５４でＮＯ）、異常判定部２５Ｂは、ルールの修正は行わない。
【０１１０】
このようなルールの修正を行うのは、前日に比べて外気温が高くなれば人間は活動的になり活動度が高くなり、前日に比べて外気温が低くなれば人間は部屋に閉じこもりがちになり活動度が低くなるからである。温度差に伴い活動度閾値を増減させることで、外的要因を加味した生活リズムの異常判定を行うことが可能になる。
【０１１１】
再度図１３を参照して、ルール修正処理（Ｓ４２）の後、生活リズムの異常判定とメッセージを通知する処理（Ｓ１４〜Ｓ１６）が実行される。ステップＳ１４〜Ｓ１６の処理は、ルール修正処理（Ｓ４２）による修正後のルールに従って行われる以外は図７と同様である。このため、その詳細な説明は繰り返さない。
【０１１２】
［３−４．実施の形態３の効果等］
以上説明したように、実施の形態３によれば、以下のような効果を奏することができる。外的要因と生体信号との間に関連があり、外的要因によって特徴量が変化するような場合には、同じルールに基づいて生活リズムの異常を判定すると、本来異常ではないにもかかわらず異常と判定されてしまう場合がある。このため、メッセージの誤報につながり、スタッフの手を煩わせてしまう。しかし、実施の形態３では、外的要因に基づいてルールを修正しているため、外的要因を加味した適正なルールに基づいて生活リズムの異常を判定することができる。このため、メッセージの誤報を減少させることができる。
【０１１３】
また、人間は、前日と比べて外気温が高いときには活動度が高くなり、前日と比べて外気温が低いときには活動度は低くなるという傾向がある。実施の形態３では、このような傾向を加味してルールを修正することができる。たとえば、前日と比べて外気温が高い場合にはルールにおける活動度に関する閾値を通常よりも高めに設定し、前日と比べて外気温が低い場合には上記閾値を通常よりも低めに設定して生活リズムの異常を判定する。これにより、適正なルールに基づいて生活リズムの異常を判定することができ、メッセージの誤報を減少させることができる。
【０１１４】
（実施の形態４）
本発明の実施の形態４に係る生活見守りシステムについて説明する。実施の形態４は、実施の形態３と同様に外的要因を加味して生活リズムの異常判定を行う。ただし、実施の形態３では外的要因として居室の温度を用いたのに対し、実施の形態４では外的要因としてユーザの投薬の内容を用いる点が異なる。
【０１１５】
［４−１．生活見守りシステムの全体構成］
図１５は、本発明の実施の形態３に係る生活見守りシステムの構成を示す図である。
【０１１６】
生活見守りシステム４は、老人ホーム、老人保健施設、病院などの施設に居住するユーザの生活を見守るシステムであり、装着型デバイス１０と、生活見守り装置２０Ｃと、ユーザ端末３０Ｃと、スタッフ端末４０とを備える。
【０１１７】
ユーザ端末３０Ｃは、実施の形態１で説明したユーザ端末３０と同様に、装着型デバイス１０を利用する見守り対象のユーザが使用する装置である。ユーザ端末３０Ｃは、ユーザ端末３０と同様の構成を有し、ユーザ端末３０と同様に生活見守り装置２０からユーザの見守りの結果であるメッセージを受信し、受信したメッセージを画面に表示する。それに加え、ユーザ端末３０Ｃは、ユーザの生体信号に影響を及ぼし得る外的要因を取得する外的要因取得装置としての機能を有し、ユーザの投薬内容の情報を取得する。つまり、ユーザ端末３０Ｃは、ユーザが医師、歯科医師又は薬剤師等から投薬され現在服用中の薬に関する情報のユーザ入力を受け付け、生活見守り装置２０Ｃに送信する。
【０１１８】
［４−２．生活見守り装置の構成］
生活見守り装置２０Ｃは、図１に示した実施の形態１に係る生活見守り装置２０の構成において、さらに、外的要因取得部２８Ｃを備え、異常判定部２５の代わりに異常判定部２５Ｃを備える。
【０１１９】
外的要因取得部２８Ｃは、ユーザ端末３０Ｃから送信されたユーザの投薬内容の情報を受信することにより、ユーザの投薬内容の情報を取得する。
【０１２０】
異常判定部２５Ｃは、外的要因取得部２８が取得したユーザの投薬内容の情報に基づいてルールデータベース２４に格納されているルールを修正する。異常判定部２５Ｃは、特徴量算出部２３が算出したユーザの特徴量と修正後のルールとに基づいて、実施の形態１に係る異常判定部２５と同様にユーザの生活リズムの異常を判定する。ルールの修正方法については後述する。
【０１２１】
［４−３．生活見守り装置の処理フロー］
次に、生活見守り装置２０Ｃが実行する処理の流れについて説明する。
図１６は、生活見守り装置２０Ｃが実行する処理の流れを示すフローチャートである。
【０１２２】
生体信号から特徴量を算出するまでの処理（Ｓ１１〜Ｓ１３）は図７と同様であるため、その詳細な説明は繰り返さない。
【０１２３】
ステップＳ１３の後、外的要因取得部２８は、ユーザ端末３０Ｃからユーザの投薬内容の情報を取得する（Ｓ５１）。たとえば、ユーザが新たに投薬を受け始めた場合や、投薬内容に変更があった場合には、ユーザの操作により、ユーザ端末３０Ｃから外的要因取得部２８Ｃに、投薬内容の入力要求信号が送信される。入力要求信号に応答して、外的要因取得部２８Ｃは、投薬内容を入力するための画像情報をユーザ端末３０Ｃに送信する。ユーザ端末３０Ｃは、画像情報を画面に表示する。図１７は、ユーザ端末３０Ｃの画面に表示された投薬内容を入力するための画像情報である。ユーザ端末３０Ｃの画面には、質問欄３１と回答欄３２とが設けられており、質問欄３１には、たとえば、「投薬されている薬を教えてください。」との質問事項が記載されている。この質問に対し、ユーザは、回答欄３２に、薬の名称の一例である「ＡＡＡ」を入力する。回答欄３２に入力された「ＡＡＡ」という文字列がユーザの投薬内容の情報としてユーザ端末３０Ｃから外的要因取得部２８Ｃに送信される。
【０１２４】
異常判定部２５Ｃは、外的要因取得部２８Ｃが取得した投薬内容の情報に基づいて、ルールデータベース２４に格納されている生活リズムの異常判定のためのルールを修正する（Ｓ５２）。
【０１２５】
図１８は、ルール修正処理（図１６のＳ５２）の詳細を示すフローチャートである。
異常判定部２５Ｃは、外的要因取得部２８Ｃが取得した投薬内容の情報に基づいて、ユーザが「ＡＡＡ」という名称の薬（以下、「薬「ＡＡＡ」」という。）を服用中であるか否かを判断する（Ｓ６１）。
【０１２６】
ユーザが薬「ＡＡＡ」を服用中であれば（Ｓ６１でＹＥＳ）、異常判定部２５Ｃは、ルールデータベース２４の異常判定条件の睡眠時間閾値を１０％低く設定することで、ルールを修正する（Ｓ６２）。これは、薬「ＡＡＡ」が副作用として睡眠障害を生じさせる薬であるため、このような薬をユーザが服用している場合には、睡眠時間が短く活動度が高くなる傾向がある。このため、このような傾向を加味してルールを修正する。たとえば、薬「ＡＡＡ」を服用中のユーザがユーザ「Ｕ００１」の場合には、図３に示すルールデータベース２４の異常判定条件において「睡眠時間＜４」及び「睡眠時間＞９」とあるのが、それぞれ「睡眠時間＜３．６」及び「睡眠時間＞８．１」に修正される。
【０１２７】
再度図１６を参照して、ルール修正処理（Ｓ５２）の後、生活リズムの異常判定とメッセージを通知する処理（Ｓ１４〜Ｓ１６）が実行される。ステップＳ１４〜Ｓ１６の処理は、ルール修正処理（Ｓ４２）による修正後のルールに従って行われる以外は図７と同様である。このため、その詳細な説明は繰り返さない。
【０１２８】
なお、図１８では、薬「ＡＡＡ」についてのルール修正を示したが、他の薬についても同様のルール修正が異常判定部２５Ｃにより行われる。
【０１２９】
［４−４．実施の形態４の効果等］
副作用として睡眠障害を生じさせる薬がある。このような薬をユーザが服用している場合には、睡眠時間が短くなる傾向がある。実施の形態４によれば、このような傾向を加味してルールを修正することができる。たとえば、睡眠障害を生じさせる薬をユーザが服用している場合にはルールにおける睡眠時間に関する閾値を上記薬を服用していない場合と比べて低めに設定して生活リズムの異常を判定する。これにより、適正なルールに基づいて生活リズムの異常を判定することができ、メッセージの誤報を減少させることができる。
【０１３０】
［５．付記］
以上、本発明の実施の形態に係る生活見守りシステムについて説明したが、本発明は、この実施の形態に限定されるものではない。
【０１３１】
たとえば、実施の形態３では、温度センサ５０はユーザの居室に設置されるものとしたが、ユーザが居住する施設の外部に設置され、外気温を測定してもよい。また、温度センサ５０を設けなくとも、インターネット等を介して、外部サーバから施設周辺の外気温の情報を取得してもよい。
【０１３２】
また、ユーザの生体信号に影響を及ぼし得る外的要因を取得する外的要因取得装置として、温度センサ５０の代わりに、湿度センサや、日照時間を計測するセンサなどを用いることも可能である。
【０１３３】
また、実施の形態４では、ユーザがユーザ端末３０Ｃを用いて投薬内容を入力し、外的要因取得部２８Ｃがユーザ端末３０Ｃからユーザの投薬内容の情報を取得することとしたが、投薬内容の情報の入手経路はこれには限定されない。たとえば、スタッフがスタッフ端末４０を用いてユーザの投薬内容を入力し、外的要因取得部２８Ｃがスタッフ端末４０からユーザの投薬内容の情報を取得してもよい。
【０１３４】
また、実施の形態４では、外的要因をユーザの投薬内容としたが、投薬内容に加えて、薬を服用するタイミングを外的要因としてもよい。これにより、時間帯ごとにルールを変更することもできるため、よりルールを適正化することができる。
【０１３５】
また、上記の各装置は、具体的には、マイクロプロセッサ、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ハードディスクドライブ、ディスプレイユニット、キーボード、マウスなどから構成されるコンピュータシステムとして構成されてもよい。ＲＡＭ又はハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【０１３６】
さらに、上記の各装置を構成する構成要素の一部又は全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１３７】
さらにまた、上記の各装置を構成する構成要素の一部又は全部は、各装置に脱着可能なＩＣ（Ｉｎｔｅｇｒａｔｅｄ  Ｃｉｒｃｕｉｔ）カード又は単体のモジュールから構成されているとしてもよい。ＩＣカード又はモジュールは、マイクロプロセッサ、ＲＯＭ、ＲＡＭなどから構成されるコンピュータシステムである。ＩＣカード又はモジュールは、上記の超多機能ＬＳＩを含むとしてもよい。マイクロプロセッサが、コンピュータプログラムに従って動作することにより、ＩＣカード又はモジュールは、その機能を達成する。このＩＣカード又はこのモジュールは、耐タンパ性を有するとしてもよい。
【０１３８】
また、本発明は、上記に示す方法であるとしてもよい。また、本発明は、これらの方法をコンピュータにより実現するコンピュータプログラムであるとしてもよいし、前記コンピュータプログラムからなるデジタル信号であるとしてもよい。
【０１３９】
さらに、本発明は、上記コンピュータプログラム又は上記デジタル信号をコンピュータ読取可能な非一時的な記録媒体、例えば、フレキシブルディスク、ハードディスクドライブ、ＣＤ−ＲＯＭ、ＤＶＤ（Ｄｉｇｉｔａｌ  Ｖｅｒｓａｔｉｌｅ  Ｄｉｓｃ）、ＤＶＤ−ＲＯＭ、ＤＶＤ−ＲＡＭ、ＢＤ（Ｂｌｕ−ｒａｙ（登録商標）  Ｄｉｓｃ）、半導体メモリなどに記録したものとしてもよい。また、これらの非一時的な記録媒体に記録されている上記デジタル信号であるとしてもよい。
【０１４０】
また、本発明は、上記コンピュータプログラム又は上記デジタル信号を、電気通信回線、無線又は有線通信回線、インターネットを代表とするネットワーク、データ放送等を経由して伝送するものとしてもよい。
【０１４１】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしてもよい。
【０１４２】
また、上記プログラム又は上記デジタル信号を上記非一時的な記録媒体に記録して移送することにより、又は上記プログラム又は上記デジタル信号を上記ネットワーク等を経由して移送することにより、独立した他のコンピュータシステムにより実施するとしてもよい。
さらに、上記実施の形態及び上記変形例をそれぞれ組み合わせるとしてもよい。
【０１４３】
今回開示された実施の形態はすべての点で例示であって制限的なものではないと考えられるべきである。本発明の範囲は、上記した意味ではなく、特許請求の範囲によって示され、特許請求の範囲と均等の意味及び範囲内でのすべての変更が含まれることが意図される。
【産業上の利用可能性】
【０１４４】
本発明は、老人ホーム、老人保健施設、病院などの施設に居住するユーザの生活を見守る生活見守りシステム等に用いると有益である。
【符号の説明】
【０１４５】
１、２、３、４  生活見守りシステム
１０  装着型デバイス
２０、２０Ａ、２０Ｂ、２０Ｃ  生活見守り装置
２１  生体信号受信部
２２  生体信号データベース
２３  特徴量算出部
２４  ルールデータベース
２５、２５Ｂ、２５Ｃ  異常判定部
２６  通知部
２７  比較部
２８、２８Ｃ  外的要因取得部
３０、３０Ｃ  ユーザ端末
３１  質問欄
３２  回答欄
４０  スタッフ端末
５０  温度センサ
【図１】
2016224783.tif 000003
【図２】
2016224783.tif 000004
【図３】
2016224783.tif 000005
【図４】
2016224783.tif 000006
【図５】
2016224783.tif 000007
【図６】
2016224783.tif 000008
【図７】
2016224783.tif 000009
【図８】
2016224783.tif 000010
【図９】
2016224783.tif 000011
【図１０】
2016224783.tif 000012
【図１１】
2016224783.tif 000013
【図１２】
2016224783.tif 000014
【図１３】
2016224783.tif 000015
【図１４】
2016224783.tif 000016
【図１５】
2016224783.tif 000017
【図１６】
2016224783.tif 000018
【図１７】
2016224783.tif 000019
【図１８】
2016224783.tif 000020